(57)【要約】【課題】  開封時における摺動抵抗を低減させて引き抜き作業を簡易なものとし、スムーズ且つ衛生的にシート状食品を棒状食品に巻き付けることができる棒状食品包装体を提供する。【解決手段】外フィルムと内フィルムとから形成され、左右方向に分離可能であってシート状食品を収容する袋状の収容部を有する棒状食品包装材が棒状食品に巻装される棒状食品包装体であって、棒状食品の巻装状態にて、棒状食品包装材の巻き始め側における所定位置の前記左右方向に形成される折り返し部と、折り返し部より棒状食品包装材の径方向外側に位置する棒状食品包装材の巻き終わり側端部と、棒状食品に接する棒状食品包装材の径方向外側であって、折り返し部から巻き終わり側端部に至るまでの領域に位置する巻き始め側端部と、棒状食品における左右方向の外側位置にて棒状食品包装材が封止されるシール部とを備えることを特徴とする棒状食品包装体。【選択図】  図１
2017171370.tif 000002
【特許請求の範囲】
【請求項１】
外フィルムと内フィルムとから形成され、左右方向に分離可能であってシート状食品を収容する袋状の収容部を有する棒状食品包装材が棒状食品に巻装される棒状食品包装体であって、
前記棒状食品の巻装状態にて、前記棒状食品包装材の巻き始め側における所定位置の前記左右方向に形成される折り返し部と、
前記折り返し部より前記棒状食品包装材の径方向外側に位置する前記棒状食品包装材の巻き終わり側端部と、
前記棒状食品に接する前記棒状食品包装材の径方向外側であって、前記折り返し部から前記巻き終わり側端部に至るまでの領域に位置する巻き始め側端部と、
前記棒状食品における左右方向の外側位置にて前記棒状食品包装材が封止されるシール部と、
を備えることを特徴とする棒状食品包装体。
【請求項２】
前記棒状食品包装材は、前記収容部に連設する非収容部を備える請求項１に記載の棒状食品包装体。
【請求項３】
前記折り返し部は、前記非収容部の領域に位置する請求項２に記載の棒状食品包装体。
【請求項４】
前記収容部は前記棒状食品包装材の巻き終わり側に配設され、前記非収容部は前記巻き始め側に配設される請求項２又は請求項３に記載の棒状食品包装体。
【請求項５】
前記外フィルムにおける左右方向の略中央部に開封操作片を有する請求項１から請求項４のいずれか１項に記載の棒状食品包装体。
【請求項６】
前記シール部における前記左右方向の外側位置に略平坦状の把持部が形成される請求項１から請求項５のいずれか１項に記載の棒状食品包装体。
【請求項７】
前記開封操作片における左右方向の幅寸法は、前記棒状食品における左右寸法より短くなるよう設定される請求項１から請求項６のいずれか１項に記載の棒状食品包装体。
【請求項８】
少なくとも前記巻き終わり側端部と前記棒状食品包装材の周面を貼着させるラベルを有する請求項１から請求項７のいずれか１項に記載の棒状食品包装体。
【発明の詳細な説明】
【技術分野】
【０００１】
本発明は、棒状食品とシート状食品とが分離された状態で包装され、食するときに簡単な操作で棒状食品にシート状食品を巻くことができる棒状食品包装体に関するものである。
【背景技術】
【０００２】
従来より、棒状食品とシート状食品とが分離された状態で包装され、食するときに簡単な操作で棒状食品にシート状食品を巻くことができる棒状食品包装体が公知である。例えば、シート状食品となる海苔が袋体である収容部に完全密封状態で収容されており、棒状食品に収容部が巻き付けられた形態であって、収容部の左右両側に設けられる引張り操作部を互いに離間する方向に引っ張ることで、収容部を分離して開封することができ、海苔を棒状食品に対して巻き付けることができる棒状食品包装体が公知である（特許文献１参照）。
【先行技術文献】
【特許文献】
【０００３】
【特許文献１】特許第４７６６８７９号公報
【発明の概要】
【発明が解決しようとする課題】
【０００４】
しかしながら、上記構造においては、いわゆるカットテープを設けない構成としているため、海苔が収容される収容部は、２つの分割袋体の遊端部における内面同士の接着面部を剥離させなければ開封できない構成となっているが、棒状食品と収容部との摺動抵抗が大きいため、容易に開封できない虞があった。また、摺動抵抗が大きいことにより、必要以上の牽引力で引っ張り操作を行うと、収容される海苔を破損してしまう虞があった。
【０００５】
そこで、本発明はこのような問題点を解決するものであって、開封時における摺動抵抗を低減させて引き抜き作業を簡易なものとし、スムーズ且つ衛生的にシート状食品を棒状食品に巻き付けることができる棒状食品包装体を提供することを課題とする。
【課題を解決するための手段】
【０００６】
前記問題点を解決するために、本発明の請求項１に記載の棒状食品包装体は、外フィルムと内フィルムとから形成され、左右方向に分離可能であってシート状食品を収容する袋状の収容部を有する棒状食品包装材が棒状食品に巻装される棒状食品包装体であって、前記棒状食品の巻装状態にて、前記棒状食品包装材の巻き始め側における所定位置の前記左右方向に形成される折り返し部と、前記折り返し部より前記棒状食品包装材の径方向外側に位置する前記棒状食品包装材の巻き終わり側端部と、前記棒状食品に接する前記棒状食品包装材の径方向外側であって、前記折り返し部から前記巻き終わり側端部に至るまでの領域に位置する巻き始め側端部と、前記棒状食品における左右方向の外側位置にて前記棒状食品包装材が封止されるシール部とを備えることを特徴とするものである。
【０００７】
また、本発明の請求項２に記載の棒状食品包装体は、請求項１に記載の棒状食品包装体において、前記棒状食品包装材は、前記収容部に連設する非収容部を備えるものである。
【０００８】
また、本発明の請求項３に記載の棒状食品包装体は、請求項２に記載の棒状食品包装体において、前記折り返し部は、前記非収容部の領域に位置するものである。
【０００９】
また、本発明の請求項４に記載の棒状食品包装体は、請求項２又は請求項３に記載の棒状食品包装体において、前記収容部は前記棒状食品包装材の巻き終わり側に配設され、前記非収容部は前記巻き始め側に配設されるものである。
【００１０】
また、本発明の請求項５に記載の棒状食品包装体は、請求項１から請求項４のいずれか１項に記載の棒状食品包装体において、前記外フィルムにおける左右方向の略中央部に開封操作片を有するものである。
【００１１】
また、本発明の請求項６に記載の棒状食品包装体は、請求項１から請求項５のいずれか１項に記載の棒状食品包装体において、前記シール部における前記左右方向の外側位置に略平坦状の把持部が形成されるものである。
【００１２】
また、本発明の請求項７に記載の棒状食品包装体は、請求項１から請求項６のいずれか１項に記載の棒状食品包装体において、前記開封操作片における左右方向の幅寸法は、前記棒状食品における左右寸法より短くなるよう設定されるものである。
【００１３】
また、本発明の請求項８に記載の棒状食品包装体は、請求項１から請求項７のいずれか１項に記載の棒状食品包装体において、少なくとも前記巻き終わり側端部と前記棒状食品包装材の周面を貼着させるラベルを有するものである。
【発明の効果】
【００１４】
本発明の棒状食品包装材では、開封時における摺動抵抗を低減させて引き抜き作業を簡易なものとし、スムーズ且つ衛生的にシート状食品を棒状食品に巻き付けることができる。
【図面の簡単な説明】
【００１５】
【図１】本発明の実施例における棒状食品包装材にシート状食品が収容された状態の正面図である。
【図２】本発明の実施例における棒状食品包装材にシート状食品が収容された状態の背面図である。
【図３】本発明の実施例における図１のＡ−Ａ線断面図である。
【図４】本発明の実施例における棒状食品包装材を用いて棒状食品を包装する際の棒状食品を載置した工程図である。
【図５】本発明の実施例における棒状食品包装材を用いて棒状食品を包装する際の巻装途中の工程図である。
【図６】本発明の実施例における棒状食品包装材で包装した棒状食品包装体の斜視図である。
【図７】本発明の実施例における図６のＢ−Ｂ線断面図である。
【図８】本発明の実施例における棒状食品包装体の巻き終わり側を分離し、シート状食品が露出した状態の説明図である。
【図９】本発明の別実施例における棒状食品包装体の上下方向断面図である。
【発明を実施するための形態】
【００１６】
以下、本発明の実施の形態における棒状食品包装体を図面に基づいて説明する。図１は、シート状食品ＳＦが収容された状態の正面図（棒状食品包装材Ｐの外フィルム１０側）である。図２は、シート状食品ＳＦが収容された状態の背面図（棒状食品包装材Ｐの内フィルム２０側）である。図３は、図１のＡ−Ａ線断面図である。
【００１７】
当該棒状食品包装材Ｐにおいて、包装に際して載置された状態での棒状食品ＢＦの長手方向を左右方向とし、棒状食品ＢＦの幅方向を上下方向とする。また、棒状食品包装材Ｐにおいて、棒状食品ＢＦを包装する際の巻き始める側を巻き始め側Ｐ１とし、巻き終わる側を巻き終わり側Ｐ２とする。
【００１８】
当該棒状食品ＢＦは、主に円柱状に形成された食品であるが、棒状食品包装材Ｐに包装可能な棒状であれば、特に制限されるものではない。棒状食品ＢＦの形状は、例えば、断面略正方形の略直方体形状等とすることができる。また、棒状食品ＢＦは、内部に具材を入れた米飯又は寿司飯、混ぜご飯、練り物、餅等とされる。以下の実施例において、棒状食品ＢＦは、内部に具材を入れた円柱状の米飯とされる。
【００１９】
また、シート状食品ＳＦは、シート状に形成された食品であれば、特に制限されるものではない。当該シート状食品ＳＦは、例えば、焼き海苔、ゼラチンでフィルム状に形成された昆布又は鰹節、薄焼き卵等とされる。以下の実施例においては、シート状食品ＳＦは、焼き海苔とされる。
【実施例】
【００２０】
本発明に係る棒状食品包装体ＰＢは、図１から図３に示すように、外フィルム１０と内フィルム２０とから形成され、左右方向に分離可能であってシート状食品ＳＦを収容する袋状の収容部３０を有する棒状食品包装材Ｐが棒状食品ＢＦに巻装されるものである。当該棒状食品包装体ＰＢは、棒状食品ＢＦの巻装状態にて、棒状食品包装材Ｐの巻き始め側における所定位置の左右方向に形成される折り返し部Ｐ６と、折り返し部Ｐ６より棒状食品包装材Ｐの径方向外側に位置する棒状食品包装材Ｐの巻き終わり側端部Ｐ２と、棒状食品ＢＦに接する棒状食品包装材Ｐの径方向外側であって、折り返し部Ｐ６から巻き終わり側端部Ｐ２に至るまでの領域に位置する巻き始め側端部Ｐ１と、棒状食品ＢＦにおける左右方向の外側位置にて棒状食品包装材Ｐが封止されるシール部Ｐ３とを備えるものである。
【００２１】
当該棒状食品包装体ＰＢは、主に、棒状食品ＢＦに棒状食品包装材Ｐが巻装されることで構成される。また、棒状食品包装材Ｐは、外フィルム１０と内フィルム２０とから構成される袋状の収容部３０を有してなる。当該収容部３０には、シート状食品ＳＦが収容される。収容部３０は、外フィルム１０の一部の周縁部と、内フィルム２０における外フィルム１０の周縁部と対向する箇所とを溶着することによって形成される。
【００２２】
また、外フィルム１０と内フィルム２０の溶着箇所となる溶着部３１は、収容部３０の内部にシート状食品ＳＦを適切に収容することができる空間が形成されてあれば、特に制限されるものではない。当該溶着部３１は、例えば、収容部３０における左右両端部において、夫々略コ字状に周縁部を溶着するものであってもよいし、所定間隔を有した状態で溶着するものであってもよい。
【００２３】
また、収容部３０は、収容されるシート状食品ＳＦが内部で移動することがないよう、シート状食品ＳＦより僅かに大きくなるよう形成されるとともに、その他の領域が非収容部３２を形成するよう、溶着部３１によって溶着されている。
【００２４】
より詳細には、外フィルム１０と内フィルム２０における部分的な領域に収容部３０が形成されており、収容部３０と連設して非収容部３２が上下方向に形成されるものである。このとき、棒状食品包装体ＰＢの巻装状態にて、非収容部３２は後述の折り返し部Ｐ６を形成するために設けられるので、棒状食品ＢＦに対してシート状食品ＳＦを均一に巻くことができるよう、収容部３０は棒状食品包装材Ｐの巻き終わり側に設けることが望ましい。
【００２５】
内フィルム２０は、第１内フィルム２１と第２内フィルム２２とから構成されており、第１内フィルム２１と第２内フィルム２２の内端縁２３、２４近傍を重合させたものとし、第１内フィルム２１と第２内フィルム２２の重合領域を除いた箇所を外フィルム１０に溶着している。
【００２６】
また、外フィルム１０及び内フィルム２０における左右方向の寸法は、包装される棒状食品ＢＦにおける左右両端部の外側位置に後述のシール部Ｐ３を設けるとともに、開封時の把持部Ｐ４を設けるため、収容部３０における左右方向の寸法より所定寸法だけ拡幅して形成される。
【００２７】
外フィルム１０は、ＯＰＰ（延伸ポリプロピレン）等の合成樹脂製の透明なフィルムとし、適宜の文字や模様の印刷を施したものとすることができる。また、内フィルム２０は、外フィルム１０と同様の素材からなるものとすることができるが、マットフィルムや、高密度ポリエチレンのような、棒状食品ＢＦに付着しにくい素材を用いることが望ましい。
【００２８】
本実施例においては、第２内フィルム２２の内端縁２４が第１内フィルム２１の内端縁２３の上方に重合するよう配置され、内端縁２３、２４の重合領域が棒状食品包装材Ｐの上下方向に配置するよう構成される。また、第１内フィルム２１が第２内フィルム２２の上方に重合するよう配置するものであってもよいのは勿論である。
【００２９】
また、外フィルム１０における左右方向の略中央部には、当該左右方向と直交する上下方向に一対のカットテープ４１が所定間隔を有した状態で設けられる。また、当該カットテープ４１の外側位置には、一対の切込線４２が形成されており、両者の切込線４２の間に開封操作片４０が形成された状態となる。
【００３０】
カットテープ４１は、収容部３０の一端縁となる巻き始め側の巻き始め側端部Ｐ１から他端縁となる巻き終わり側の巻き終わり側端部Ｐ２に至るまで設けられており、これにより収容部３０を左右方向に分離する開封操作片４０を形成することができる。すなわち、外フィルム１０は、開封操作片４０となる中央部と、左右両端部とに分離することができる。これにより、収容部３０に収容されたシート状食品ＳＦを露出させることができる構成としている。
【００３１】
また、開封操作片４０における左右方向の幅寸法は、棒状食品ＢＦにおける長手寸法より短くなるよう設定される。具体的には、外フィルム１０における切込線４２間の左右方向の幅寸法をＴ１、外フィルム１０における左右方向の幅寸法をＴ２としたとき、幅寸法Ｔ１とＴ２の比率が１対１．８〜４程度となるよう設定される。
【００３２】
当該比率が１対４より大きくなると、収容部３０を分離した後に左右両端部を引き抜く際の摺動抵抗が大きくなり、望ましくない。また、当該比率が１対１．８より小さくなる、すなわち、開封操作片４０における左右方向の幅寸法が棒状食品ＢＦにおける長手寸法より長くなると、棒状食品ＢＦが棒状食品包装材Ｐによって巻装され、棒状食品ＢＦにおける長手方向の外側位置がシール部Ｐ３で溶着された際に、開封操作片４０の両端部が棒状食品包装体ＰＢにおける肩部Ｐ５の領域（図６参照）に位置することとなり、開封時における引っ張り力が分散され、円滑な開封操作を行うことができなくなり、望ましくない。
【００３３】
本実施例においては、２本のカットテープ４１は、外フィルム１０の内側面にヒートシールすることにより固着されるが、外側面から固着することができるのは勿論である。また、開封操作片４０は、幅寸法Ｔ１とＴ２の比率が１対３．５程度となるよう、一対のカットテープ４１が間隔を有して固着され、カットテープ４１における外側位置には切込線４２が設けられる。
【００３４】
このようにして構成される棒状食品包装材Ｐは、以下のようにして棒状食品ＢＦを包装して、棒状食品包装体ＰＢとすることができる。まず、図４に示すように、棒状食品ＢＦを収容部３０における巻き始め側端部Ｐ１側の内フィルム２０上に載置し、図５に示すようにして棒状食品包装材Ｐの巻き始め側端部Ｐ１を巻き終わり側端部Ｐ２のほうへ折り返して、巻き始め側端部Ｐ１と巻き終わり側端部Ｐ２とを合致させた状態とする。
【００３５】
そして、両端部Ｐ１、Ｐ２の合致状態にて、棒状食品ＢＦに接していない棒状食品包装材Ｐの残余分（当該両端部Ｐ１、Ｐ２側）を棒状食品ＢＦに巻装して、図６に示すように、棒状食品包装材Ｐの巻き終わり側端部Ｐ２と当該周面とをラベル５０にて貼着する。当該ラベル５０は、商品面、価格、バーコード等が表示されており、裏面に接着部を有してなる。このとき、ラベル５０は、一対のカットテープ４１の内側に位置するように貼着される。また、ラベル５０には、棒状食品包装材Ｐからラベル５０を引き剥しやすいように、ラベル５０を把持する箇所に非接着部（図示しない）を設けることもできる。
【００３６】
後に、棒状食品包装材Ｐの左右両端部を熱溶着等により接合してシール部Ｐ３を形成し、当該左右両端部を封止する。本実施例においては、当該シール部Ｐ３は、棒状食品包装材Ｐの左右両端部から所定寸法の内側位置に設られる。そして、シール部Ｐ３は、棒状食品ＰＢにおける長手方向の外側位置に直線状に設けられるとともに、シール部Ｐ３の外側位置が熱溶着時に押圧されることで略平坦状となり、開封時における把持部Ｐ４とすることができる。
【００３７】
ここで、略平坦状とは、シール部Ｐ３の外側位置が押圧されることなく、シール部Ｐ３が溶着されることによって生じる寄りしわ等から形成される略波型形状をも包含する趣旨である。また、巻装された棒状食品ＢＦの両端部からシール部Ｐ３にかけては、棒状食品ＢＦの中心部に向けて傾斜状の肩部Ｐ５が形成される。また、シール部Ｐ３の熱溶着時において、把持部Ｐ４を溶着することができるのは勿論である。
【００３８】
このようにして構成される棒状食品包装体ＰＢの棒状食品包装材Ｐは、図７に示すように、棒状食品ＢＦの巻装状態にて、棒状食品包装材Ｐの巻き始め側端部Ｐ１における所定位置の左右方向に折り返し部Ｐ６が形成されており、当該折り返し部Ｐ６を介して、巻き始め側端部Ｐ１が棒状食品ＢＦに接する棒状食品包装材Ｐの径方向外側に位置してなる。そして、巻き終わり側端部Ｐ２は、巻き始め側端部Ｐ１と略合致した状態で、折り返し部Ｐ６及び巻き始め側端部Ｐ１よりも径方向外側に位置してなる。このようにして、巻き始め側端部Ｐ１が棒状食品ＢＦに接した状態で巻装されることがなく、且つ、巻き始め側端部Ｐ１及び巻き終わり側端部Ｐ２の両端部から折り返し部Ｐ６までの距離を短くすることができるので、開封操作片４０の開封を容易に行うことができる。
【００３９】
次に、このようにして包装される棒状食品包装体ＰＢを開封する方法について説明する。まず、図８に示すように、ラベル５０を把持して引っ張り、切込線４２を介して棒状食品包装材Ｐがカットテープ４１に沿って破断されることで、棒状食品包装材Ｐは左右に分離された左右両端部と、カットテープ４１とラベル５０とを有した外フィルム１０からなる中央部（開封操作片４０）に分離される。
【００４０】
より詳細には、開封操作片４０は、カットテープ４１に沿いながら、棒状食品ＢＦの形状に沿って破断され、巻き始め側端部Ｐ１近傍まで到達した状態においては、収容部３０の大部分又は全部が破断された状態となり、シート状食品ＳＦにおける左右方向の略半分が露出した状態となっている。
【００４１】
後に、開封操作片４０は、非収容部３２の折り返し部Ｐ６に向かって破断されていくとともに、折り返し部Ｐ６を介して、巻き終わり側へと破断されていく。すなわち、開封操作片４０は、巻き終わり側端部Ｐ２から折り返し部Ｐ６に至るまでは、図７における反時計回り方向に向かって破断されるとともに、折り返し部Ｐ６から巻き始め側端部Ｐ１に至るまでは、同図の時計回り方向に向かって破断されることとなる。よって、折り返し部Ｐ６を介して、開封操作片４０の破断方向が反転されることから、棒状食品ＢＦの形状に沿って、巻き始め側端部Ｐ１近傍まで開封操作片４０が破断されるまでは棒状食品ＢＦの周方向に開封操作片４０を操作し、その後においては、棒状食品ＢＦにおける径方向の外側方向へ向けて、開封操作片４０を操作することで非収容部３２を容易に破断させることができる。
【００４２】
ここで、棒状食品包装材Ｐにおける中央部の分離に関しては、左右両端部が完全に分離した状態に限られることなく、棒状食品包装材Ｐにおける巻き始め側Ｐ１の付近を残して一部が繋がっている場合を包含する趣旨である。すなわち、開封操作において、シート状食品ＳＦを残して、棒状食品包装材Ｐの左右両端部をそれぞれ取り外せる程度の長さに外フィルム１０が引き裂かれていればよい趣旨である。
【００４３】
そして、中央部が分離され、シート状食品ＳＦにおける左右方向の略半分が露出した棒状食品包装材Ｐにて、把持部Ｐ４となる左右両端部を外側方向へ引っ張り、抜き取ることで、シート状食品ＳＦを棒状食品ＰＢに巻き付けた状態で完成される。このとき、棒状食品包装材Ｐの中央部が分離された状態においても、左右両端部がシール部Ｐ３にて接合されているため、棒状食品包装材Ｐの巻き始め側端部Ｐ１と巻き終わり側端部Ｐ２とが巻き癖によって拡がることがなく、左右両端部の引っ張り操作を円滑に行うことができる。
【００４４】
以上、説明した本発明に係る棒状食品包装体ＰＢによれば、開封時に棒状食品包装材Ｐの中央部が分離されるため、左右両端部の引っ張り操作の際、シート状食品ＳＦと内フィルム２０との摺動抵抗を低減させることができ、左右両端部の引き抜き作業を容易に行うことができる。
【００４５】
また、左右両端部に対して中央部を完全に分離した状態で、いずれか一方の抜き取った左右両端部にシート状食品ＳＦを巻き付けた棒状食品ＰＢを再度差し込んで把持することで、開封者の手に触れることなく食することができ、衛生的である。
【００４６】
また、外フィルム１０、内フィルム２０に関する収容部３０、溶着部３１、カットテープ４１、切込線４２の設置位置、シール部Ｐ３の形状、寸法、材質等を適宜変更して実施することが可能である。
【００４７】
例えば、上記実施例において、外フィルム１０と内フィルム２０においては、第１内フィルム２１と第２内フィルム２２の内端縁２３、２４近傍を重合させたものとし、第１内フィルム２１と第２内フィルム２２の重合領域を除いた箇所を外フィルム１０に溶着するものであったが、これに限られるものではない。例えば、当該重合領域についても溶着するものとし、収容部３０を密閉する構成とすることもできる。これにより、シート状食品ＳＦが湿気ることなく、色味、風味、食感等を損ねることもない。係る際には、左右両端部の引っ張り操作の観点から、重合領域の溶着箇所にパートコート等を塗布することによって貼着力を弱くすることが望ましい。
【００４８】
また、収容部３０は、棒状食品包装材Ｐの巻き終わり側端部Ｐ２側に設けられ、これに連設する非収容部３２は巻き始め側端部Ｐ１側に設けられるものであったが、これに限られるものではない。例えば、棒状食品包装材Ｐの収容部３０の上下方向の双方に非収容部３２を連設させるものであってもよく、シート状食品ＳＦを収容しない領域が非収容部３２として設けられてあればよい趣旨である。
【００４９】
また、外フィルム１０にカットテープ４１を設けることなく、外フィルム１０を長尺方向に引裂方向性を有するフィルムから構成することができるのは勿論である。
【００５０】
また、ラベル５０においては、一対のカットテープ４１を跨ぐようにして貼着され、カットテープ４１とラベル５０が重合する箇所に非接着部を設けたものとすることもできる。また、開封時にラベル５０を把持して外フィルム１０との接着箇所を剥離させ易いよう、ラベル５０の縁部からラベル切込線（図示しない）を設けることもできる。当該ラベル切込線の設置位置は、特に制限されることはないが、ラベル５０を外フィルム１０から剥離させた際に、ラベル５０の切断仮想線が切込線４２に誘導されるよう設けることが望ましい。
【００５１】
また、棒状食品包装材Ｐの巻き始め側端部Ｐ１と巻き終わり側端部Ｐ２とを合致させた状態で巻装するものであったが、これに限られるものではない。例えば、図９に示すように、巻き始め側端部Ｐ１は、棒状食品ＢＦに接する棒状食品包装材Ｐの径方向外側であって、折り返し部Ｐ６の近傍に位置するものであってもよい。すなわち、開封操作片４０の破断の観点から、巻き始め側端部Ｐ１は巻き終わり側端部Ｐ２に近接する位置のほうが望ましいものであるが、折り返し部Ｐ６から巻き終わり側端部Ｐ２に至るまでの領域に位置するものであればよい趣旨である。
【００５２】
更に、一部構成を省略することができるし、一部抽出した構成とすることができるのは勿論である。
【符号の説明】
【００５３】
Ｐ      棒状食品包装材
Ｐ１    巻き始め側端部
Ｐ２    巻き終わり側端部
Ｐ３    シール部
Ｐ４    把持部
Ｐ５    肩部
Ｐ６    折り返し部
ＢＦ    棒状食品
ＳＦ    シート状食品
１０    外フィルム
２０    内フィルム
２１    第１内フィルム
２２    第２内フィルム
２３、２４  内端縁
３０    収容部
３１    溶着部
３２    非収容部
４０    開封操作片
４１    カットテープ
４２    切込線
５０    ラベル
【図１】
2017171370.tif 000003
【図２】
2017171370.tif 000004
【図３】
2017171370.tif 000005
【図４】
2017171370.tif 000006
【図５】
2017171370.tif 000007
【図６】
2017171370.tif 000008
【図７】
2017171370.tif 000009
【図８】
2017171370.tif 000010
【図９】
2017171370.tif 000011